(57)【要約】【課題】  アンカを埋設するときに用いられるセメント又はセメントモルタルからなる固結剤及び水を下穴に投入しやすいようにする。【解決手段】  アンカを埋設する地面の所定の箇所に所定の穴径を有する下穴を所定深さあけ、そのあけられた下穴に所定の粒径を有する骨材及び水硬性物質を有効成分とする固結剤を投入し、その投入された骨材及び水硬性物質を有効成分とする固結剤を所定の工具を回転しながら押圧し、その骨材を破砕するとともにその下穴の壁面に圧入させ、次いで、その下穴に軸棒に螺旋状の掘削刃を有するアンカを埋設するときに用いられるアンカ埋設用固結剤であって、前記固結剤が、少なくとも透水性を有し、前記所定の工具で破砕される材質からなる袋または容器に封入されている。【選択図】      図２
2005113427.tif 000002
【特許請求の範囲】
【請求項１】
アンカを埋設する地面の所定の箇所に所定の穴径を有する下穴を所定深さあけ、そのあけられた下穴に所定の粒径を有する骨材及び水硬性物質を有効成分とする固結剤を投入し、その投入された骨材及び水硬性物質を有効成分とする固結剤を所定の工具を回転しながら押圧し、その骨材を破砕するとともにその下穴の壁面に圧入させ、次いで、その下穴に軸棒に螺旋状の掘削刃を有するアンカを埋設するときに用いられるアンカ埋設用固結剤であって、
前記固結剤が、少なくとも透水性を有し、前記所定の工具で破砕される材質からなる袋又は容器に封入されていることを特徴とするアンカ埋設用固結剤。
【請求項２】
請求項１に記載のアンカ埋設用固結剤において、固結剤が、急硬成分を含有するセメント又はセメントモルタルであることを特徴とするアンカ埋設用固結剤。
【請求項３】
請求項１又は２に記載のアンカ埋設用固結剤は、袋又は容器が、不織布からなることを特徴とするアンカ埋設用固結剤。
【請求項４】
下記の（イ）〜（ヘ）の工程からなることを特徴とするアンカ埋設用固結剤を用いたアンカの埋設方法。
（イ）アンカを埋設する地面の所定の箇所に所定の穴径を有する下穴を所定深さあける下穴あけ工程。
（ロ）固結剤を封入した袋又は容器に水を含浸させ、あけられた下穴に、その水を含浸させた袋又は容器と骨材とを投入する投入工程。
（ハ）前記下穴に投入された骨材及びアンカ埋設用固結剤を所定の工具を用いて混合撹拌してその骨材を破砕させてその下穴の壁面に圧入させる混合破砕工程。
（ニ）前記投入工程及び前記混合破砕工程を複数回繰返す繰返工程。
（ホ）前記繰返工程終了後に、軸棒に螺旋状の掘削刃を有するアンカを埋設するアンカ埋設工程。
（ヘ）前記アンカ埋設工程後に、前記アンカ埋設用固結剤が固化するまで養生する養生工程。
【請求項５】
請求項４に記載のアンカの埋設方法において、水硬性物質を有効成分とする固結剤は、急硬成分を含有するセメント又はセメントモルタルであることを特徴とするアンカ埋設用固結剤を用いたアンカの埋設方法。
【発明の詳細な説明】
【技術分野】
【０００１】
本発明は、アンカ埋設用固結剤及びそれを用いたアンカの埋設方法に係り、特に、軟弱な地盤を改良してアンカを埋設するときに用いられるものに関する。
【背景技術】
【０００２】
本出願人らの中の一人は、配電線や電話線等の電柱、あるいは信号機のポール等の柱状物（以下、電柱で説明する。）の支線を支持するのに好適なアンカ（地中アンカ）を提案している（特許文献１〜３参照。）。このアンカは、地中に埋設される鋳鉄製の軸棒（支持棒）の先端側に間欠的に螺旋状の掘削刃を一体的に設けて構成されている。
【０００３】
すなわち、この提案に係るアンカは、鋳鉄製の棒状の軸棒（支持棒）に所定の間隔を保って、かつ、先端側（地中に埋設される側）よりも上部ほど直径が大きくなる螺旋状の掘削刃を一体的に設けて構成されている。そして、このアンカは、電柱を立設するときの穴掘建柱車の回転部を用いて地中の任意の深さに簡単に埋設できる特長を有している。また、この提案に係るアンカは、螺旋状の掘削刃の大きさ（直径）を大きくすると、その分だけ支線の耐張力（引張力）が増加するという特長を有しているので、Ｎ値が５以下のような軟弱な地盤（地中あるいは地面というときもある。）であってもアンカを埋設できるという特長がある。
【０００４】
しかしながら、上記提案に係るアンカは、そのアンカの螺旋状の掘削刃の直径を大きくすると軟弱な地盤であっても適用できるという特長を有しているが、螺旋状の掘削刃が大きくなるとアンカ全体が大型化し、質量も大きくなって扱いにくくなるという問題点を有している。
【０００５】
そこで、本出願人らの中の一人は、上記問題点を解決するために、特願２００２−３５５２４６号において、比較的小型のアンカ、例えば螺旋状の掘削刃の直径が１４０ｍｍのアンカ（以下、１４０φのアンカのように表現する。）であっても軟弱な地盤用のアンカとして採用することができるようにしたアンカの埋設方法を提案している。
【０００６】
上記提案に係るアンカの埋設方法は、アンカを埋設する地面の箇所に所定の穴径を有する下穴を所定深さあけ、そのあけられた下穴に所定の粒径を有する骨材を投入し、その投入された骨材を下端に超硬チップを有する工具を回転しながら押圧し、その骨材を破砕するとともにその下穴の壁面に圧入させ、次いで、その下穴に軸棒に螺旋状の掘削刃を有するアンカを埋設することを特徴としている。
【０００７】
さらにまた、本出願人らの中の一人は、特願２００３−７３９４１号において、上述の骨材の他に、その骨材同士を固結させることのできるセメント又はセメントモルタル及び水を下穴に投入し、工具で押圧しながら回転させるアンカの埋設方法も提案している。この提案に係るアンカの埋設方法は、アンカの周囲に形成される骨材の塊は強固な大きな塊となるため、支線（アンカ）の耐張力をより高めることができるという特長がある。
【特許文献１】特開２０００−１８５０号公報
【特許文献２】特開２００１−５９２２１号公報
【特許文献３】特開２００１−１８２０５８号公報
【発明の開示】
【発明が解決しようとする課題】
【０００８】
上述のように、上記提案に係るアンカの埋設方法は、骨材の他にセメントやセメントモルタルからなる固結剤を用いると、アンカの耐張力を高めることができるという特長を有しているが、普通、電柱に用いられる支線は、地面に対して垂直以外の所定の角度を有しているために、アンカを埋設するときの下穴の軸方向も斜め方向にあけられ、したがって、セメントやセメントモルタルからなる粉状の固結剤の投入がしづらいという問題点があるとともに、骨材とセメント又はセメントモルタルを混練するための水も下穴が斜め方向にあけられているのでその下穴の底部に注入しにくいという問題点があった。
【０００９】
そこで、本発明は、上記問題点を解決するためになされたものであって、その目的は、下穴が斜め方向にあけられていても、その下穴に必要とする水及びセメント又はセメントモルタルを容易に投入することのできるアンカ埋設用固結剤を提供するとともに、そのアンカ埋設用固結剤を用いたアンカの埋設方法を提供することにある。
【課題を解決するための手段】
【００１０】
本発明に係るアンカ埋設用固結剤は、上記目的を達成するために、請求項１に記載の発明は、アンカを埋設する地面の所定の箇所に所定の穴径を有する下穴を所定深さあけ、そのあけられた下穴に所定の粒径を有する骨材及び水硬性物質を有効成分とする固結剤を投入し、その投入された骨材及び水硬性物質を有効成分とする固結剤を所定の工具を回転しながら押圧し、その骨材を破砕するとともにその下穴の壁面に圧入させ、次いで、その下穴に軸棒に螺旋状の掘削刃を有するアンカを埋設するときに用いられるアンカ埋設用固結剤であって、前記固結剤が、少なくとも透水性を有し、前記所定の工具で破砕される材質からなる袋又は容器に封入されていることを特徴としている。
本発明の請求項２に記載のアンカ埋設用固結剤は、固結剤が、急硬成分を含有するセメント又はセメントモルタルであることを特徴としている。
本発明の請求項３に記載のアンカ埋設用固結剤は、袋又は容器が、不織布からなることを特徴としている。
本発明に係るアンカ埋設用固結剤を用いたアンカの埋設方法は、上記目的を達成するために、請求項４に記載の発明は、（イ）アンカを埋設する地面の所定の箇所に所定の穴径を有する下穴を所定深さあける下穴あけ工程、（ロ）固結剤を封入した袋又は容器に水を含浸させ、あけられた下穴に、その水を含浸させた袋又は容器と骨材とを投入する投入工程、（ハ）前記下穴に投入された骨材及びアンカ埋設用固結剤を所定の工具を用いて混合撹拌してその骨材を破砕させてその下穴の壁面に圧入させる混合破砕工程、（ニ）前記投入工程及び前記混合破砕工程を複数回繰返す繰返工程、（ホ）前記繰返工程終了後に、軸棒に螺旋状の掘削刃を有するアンカを埋設するアンカ埋設工程、（ヘ）前記アンカ埋設工程後に、前記アンカ埋設用固結剤が固化するまで養生する養生工程からなることを特徴としている。
本発明の請求項５に記載のアンカ埋設用固結剤を用いたアンカの埋設方法は、水硬性物質を有効成分とする固結剤は、急硬成分を含有するセメント又はセメントモルタルであることを特徴としている。
【発明の効果】
【００１１】
本発明の請求項１に記載のアンカ埋設用固結剤は、アンカを埋設する地面の所定の箇所にあけられた下穴に所定の粒径を有する骨材及び水硬性物質を有効成分とする固結剤を投入し、その投入された骨材及び水硬性物質を有効成分とする固結剤を所定の工具を回転しながら押圧して骨材を破砕するとともにその下穴の壁面に圧入させ、次いで、その下穴に軸棒に螺旋状の掘削刃を有するアンカを埋設するときに用いられる上記固結剤が、少なくとも透水性を有し、上記所定の工具で破砕される材質からなる袋又は容器に封入しているので、傾斜している下穴であっても固結剤を容易に投入することができるとともに、その固結剤に水を容易に含浸させることができる。
本発明の請求項２に記載のアンカ埋設用固結剤は、固結剤が、急硬成分を含有するセメント又はセメントモルタルであるので、養生を短縮することができる。
本発明の請求項３に記載のアンカ埋設用固結剤は、袋又は容器が、不織布からなるので、水を容易に含浸させることができるとともに、所定の工具で袋を容易に破砕することができる。
本発明の請求項４に記載のアンカ埋設用固結剤を用いたアンカの埋設方法は、上述のように、下穴あけ工程、投入工程、混合破砕工程、繰返工程、アンカ埋設工程、及び養生工程からなるので、固結剤及び水の投入が容易で、アンカの埋設作業を容易に行うことができる。
本発明の請求項５に記載のアンカ埋設用固結剤を用いたアンカの埋設方法は、水硬性物質を有効成分とする固結剤は、急硬成分を含有するセメント又はセメントモルタルであるので、養生を短縮することができる。
【発明を実施するための最良の形態】
【００１２】
以下、本発明の実施の形態を図面に基づいて説明する。図１〜図４は、本発明に係るアンカ埋設用固結剤を用いたアンカの埋設方法を実施する工程を示し、図５は、アンカを地中に埋設した状態を示している。図１〜図４の工程に従って説明するが、本発明に係るアンカ埋設用固結剤については、後に、図２を用いて説明する。
【００１３】
図１は、アンカＡ（図５参照）を埋設する地面Ｇの所定位置に工具１を用いて図２に示されるような所定の深さ、例えば１００ｃｍの深さで、所定の直径、例えば１２０φの下穴（前穴と呼ばれていることもある。）Ｈが地面Ｇに対して所定の傾きを有して、すなわち、図５に示される支線棒イの傾きに合わせてあけられる。この下穴Ｈの掘削作業で用いられる工具１は、通常、超硬ビットと呼ばれているもので、本出願人が特願２００２−１８４２０号で提案しているもので、鋼製の棒状体１ａの先端及び上部のつば部下部に超硬チップ１ｂ，１ｃをそれぞれ有している。この工具１には、パイプ状の補助工具（この補助工具については、本出願に係る特開２００１−２７１３４５号公報に詳述されている。）Ｍが工具１の頂部に設けられている角柱部１ｄに嵌められるように構成されている。そして、その工具１は、補助工具Ｍが図示しない穴掘建柱車の回転部で押圧させながら回転させられると、地中Ｇ内に圧入され、所定深さの下穴Ｈが簡単に形成される（図２参照）。
【００１４】
地面Ｇに形成される下穴Ｈは、上述したような超硬チップを有する工具１を用いることなく、所定の深さで、かつ、所定の直径の穴を掘ることができるものであれば採用することができる。例えば、電柱の穴掘建柱車に設けられる螺旋状掘削刃を小型化したようなものを用いることができる。しかし、後述する骨材の破砕と圧入を兼ねることができるので、上述の超硬チップ１ｂ，１ｃを有する工具１の方が便利である。
【００１５】
下穴Ｈの深さは、通常、１００〜２００ｃｍ前後とされる。これは、Ｎ値が１０以下の普通地盤や軟弱（軟質）地盤では、地表から１００ｃｍの深さまでが最も硬く、それよりも深くなると軟らかくなり、２００ｃｍよりも深く下穴Ｈを形成しても支線の耐張力を高める効果がそれほど期待できないからである。
【００１６】
また、工具１であけられる下穴Ｈの直径（穴径）Ｄ1 は、後述するアンカＡ（図５参照）の螺旋状の掘削刃（上部の最も大きな直径の掘削刃）の直径Ｄ2 によって決められる。すなわち、下穴Ｈの直径Ｄ1 とアンカＡの直径Ｄ2 との関係は、Ｄ2 ＝Ｄ1 ×１．１〜１．５とされる。例えば、１４０φの規格品のアンカＡの場合、上部の超硬チップ１ｃの設けられているつば部の直径が１２０ｍｍの規格型の工具（超硬チップ）１が用いられる。  
【００１７】
工具１を用いてあけられた下穴Ｈには、所定量の骨材Ｃ、本発明に係るアンカ埋設用固結剤である固結剤Ｂが投入され、その後、工具１で破砕圧入される（図３参照）。ここで用いられる骨材Ｃとしては、粒径５０ｍｍ程度の礫や砕石、あるいは同程度に破砕されたコンクリート廃材でもよく、ある程度硬質のものであればその種類は問わない。また、アンカＡがアース装置の電極と兼用されるようなときは、その骨材としてコークスを用いることもできる。なお、粒径が５０ｍｍを大きく越えるような骨材のときは、工具１による破砕に時間がかかって好ましくなく、また、砂のように小さすぎると、工具１により骨材Ｃを下穴Ｈの壁面に効果的に圧入することができない。
【００１８】
固結剤Ｂは、袋又は容器（以下、容器で説明する。）ｂ1 に封入される。この容器としては、使用に際して外部から水を容易に内部に通過させることのできる材質であれば特に限定されず、例えば、和紙等の紙類やプラスチックの人口紙等の吸水性物質、ポリビニルアルコール、ポリアクリル酸ナトリウム、ポリエチレンオキシド、ポリアクリルアミド、ポリビニールピロリドン等の水溶性合成物質、セルロース、デキストリン等の水溶性多糖物質、ポリヒドロキシ酪酸系や合成ポリエステル系のプラスチック等の生分解性物質、多孔質物質等からなる不織布が使用できる。この容器ｂ1 は、工具１によって破砕され、かつ、倉庫等に保管中は、内部の材質の品質を保持することができ、さらに、使用に際して外部から水を容易に内部に通過させることのできる不織布や和紙等からなる容器ｂ1 内に、例えばセメント又はセメントモルタル（以下、セメントモルタルで説明する。）ｂ2 が封入された構成となる。すなわち、この固結剤Ｂは、使用に際しては、所定の容量の水槽２に水Ｗと固結剤Ｂを入れ、固結剤Ｂを数分間、例えば３〜１０分間水に浸積させると、容器ｂ1 を通して水がセメントモルタルｂ2 に含浸させられる。この水の含浸量は、骨剤Ｃ及びセメントモルタルｂ2 を混練するに十分なので、斜めにあけられている下穴Ｈに別途水を注入する必要はない。
【００１９】
容器ｂ1 の大きさは、少なくとも工具１であけられた下穴Ｈに挿入できる大きさに決められている。標準的な大きさの工具１であけられる下穴Ｈの穴径が１２０φの場合、容器ｂ1 は、セメントモルタルを０．５ｋｇ詰めの大きさとすることができる。固結剤Ｂの使用量が簡単に分るように、容器ｂ1 は、０．５ｋｇ詰め、１ｋｇ詰め、１．５ｋｇ詰め、あるいは２ｋｇ詰めのように区切りのよい状態にすることが好ましい。
【００２０】
容器ｂ1 内に挿入される固結剤としては、無機系の水硬性物質を有効成分とするものであれば特に限定されず、例えば各種ポルトランドセメント、混合セメント、アルミナセメント等をあげることができる。好ましくは、カルシウムアルミネートやカルシウムサルホアルミネート等の急硬成分を含むセメント又は急硬成分を配合してなるセメントモルタルが養生時間を短縮できるので好ましい。また、この固結剤には、減水剤、高性能減水剤、高性能ＡＥ減水剤、ＡＥ減水剤、流動化剤、凝結遅延剤、凝結促進剤、強度促進剤、増粘剤、防錆剤、収縮低減剤、スラグ等の潜在水硬性物質、フライアッシュやシリカフューム等のポゾラン物質、セッコウなどの無機硫酸塩、膨脹材、炭酸カルシウム、消石灰等のカルシウム化合物、各種繊維等、一般にセメント・モルタル・コンクリートで使用することができる混和剤・材を、本発明の目的を実質的に阻害しない範囲で適宜配合することができる。さらに、本方法では、砂のみを封入した容器ｂ1 を使用することもでき、この砂を封入した容器ｂ1 を使用する場合は、下穴Ｈにはセメント又はセメントモルタルの挿入された容器ｂ1 も投入される。この砂の容器ｂ1 の場合も必要に応じて水が含浸させられる。また、無機系の水硬性物質を有効成分とするものには、
【００２１】
下穴Ｈに投入される固結剤Ｂの投入量は、その下穴Ｈに投入される骨材Ｃの量によって決められる。なぜならば、この固結剤Ｂは、骨材Ｃ及び水Ｗと混練されてコンクリート塊を生成するために用いられるものだからである。したがって、投入される骨材Ｃ、固結剤Ｂ及びその固結剤に含まれる水Ｗの量も、周知のコンクリート形成のための混合比によって必然的に決まる性質を有している。
【００２２】
下穴Ｈに投入される１回分の骨材Ｃ及び固結剤Ｂ（水を含んだセメントモルタルｂ2 ）の投入量は、下穴Ｈの穴径にもよるが、その下穴Ｈの穴径が１２０φのときは、スコップ１杯分の骨材量（骨材が礫や砕石の場合は、約５ｋｇ）に対し、１ｋｇのセメントモルタルｂ2 （５００ｃｃの水Ｗを含む）で足りる。そして、これら骨材Ｃ及び固結剤Ｂの投入後に工具１で押圧しながら回転すると（図３参照）、骨材Ｃは破砕されるとともに、下穴Ｈの内壁面内に圧入される（図４のＣ′は、破砕された骨材Ｃの状態を示している。）。  
【００２３】
工具１による骨材Ｃの破砕圧入処理後、下穴Ｈには、上述と同量の骨材Ｃ及び固結剤Ｂが投入され、工具１を用いて上述と同様に破砕圧入処理が行われる（図２及び図３参照）。
【００２４】
図４は、骨材Ｃ及び固結剤Ｂの投入と工具１を用いた破砕圧入を複数回繰返して得られた下穴Ｈの下部に形成された骨材Ｃの圧密化された状態を示している。下穴Ｈの下部における圧密化をする深さ、すなわち、下穴Ｈの底から圧密化する高さは、アンカＡの長さ分あれば十分である（後述の図５参照）。
【００２５】
骨材Ｃ及び固結剤Ｂを分割して投入し、その投入の都度、工具１で破砕と圧入を繰返すようにすると、破砕されて細片化された骨材Ｃ′をまんべんなく下穴Ｈの壁面に圧入させて、下穴Ｈの下部に硬い大きな塊（コンクリート塊）を作ることができる。なお、上述の破砕と圧入は、通常、超硬ビットと呼ばれている工具１を用いるが、周知のエアハンマ等の破砕と圧入ができる他の工具を用いることもできる。
【００２６】
図５は、下穴Ｈの下部部が骨材Ｃで圧密化された後に、その下穴Ｈに骨材Ｃを投入後、アンカＡを埋設した状態を示している。このアンカＡは、鋳鉄製の軸棒ａ1 の先端側（図５において下部側）に間欠的に所定の間隔を保って螺旋状の掘削刃ａ2 ，ａ2 …を複数個（図示の例では４個）一体的に設けて構成されている。また、このアンカＡの先端（図５において下端部）は、硬質のドリルで形成され、また、掘削刃ａ2 ，ａ2 …も硬質で、かつ、その外周は尖鋭に形成されているので、上述の工具１と同様の作用を有することができる。したがって、アンカＡの埋設の際（アンカＡのねじ込みの際）、骨材Ｃを破砕し、その破片を下穴Ｈの壁面に圧入させることができる。
【００２７】
上述のようにして下部部分が骨材Ｃの細片で圧密化された下穴Ｈには、アンカＡが埋設される。このアンカＡの埋設は、アンカＡの角柱部ａ3 に設けられているアイ部に支線棒イを接続し、その支線棒イを補助工具Ｍ（図５では省略。図１及び図３参照。）の内部に収納しながらその補助工具Ｍを角柱部ａ3 に嵌め、その補助工具Ｍを図示しない穴掘建柱車の回転部で押圧させながら回転して行われる。そして、アンカＡが所定深さに埋設された後、補助工具Ｍが外されると、地上には支線棒イの先端部が現れる。次いで、その支線棒イの先端に設けられているリング部に図示しないシンブルを介して支線（図示せず）が取付けられる。
【図面の簡単な説明】
【００２８】
【図１】下穴をあける工程図である。
【図２】下穴に骨材、固結剤及び水を投入する工程図である。
【図３】工具で骨材を破砕する工程図である。
【図４】工具で骨材を破砕して下穴に圧入させた状態を示す工程図である。
【図５】下穴にアンカを埋設したときの断面図である。
【符号の説明】
【００２９】
１  工具（超硬ビット）
２  水槽
Ｈ  下穴
Ｇ  地面
Ａ  アンカ
Ｃ  骨材
Ｂ  固結剤
ｂ1   容器（袋）
ｂ2   セメントモルタル（セメント）
Ｗ  水
【図１】
2005113427.tif 000003
【図２】
2005113427.tif 000004
【図３】
2005113427.tif 000005
【図４】
2005113427.tif 000006
【図５】
2005113427.tif 000007
【手続補正書】
【提出日】平成15年10月6日(2003.10.6)
【手続補正１】
【補正対象書類名】明細書
【補正対象項目名】００２０
【補正方法】変更
【補正の内容】
【００２０】
容器ｂ1 内に挿入される固結剤としては、無機系の水硬性物質を有効成分とするものであれば特に限定されず、例えば各種ポルトランドセメント、混合セメント、アルミナセメント等をあげることができる。好ましくは、カルシウムアルミネートやカルシウムサルホアルミネート等の急硬成分を含むセメント又は急硬成分を配合してなるセメントモルタルが養生時間を短縮できるので好ましい。また、この固結剤には、減水剤、高性能減水剤、高性能ＡＥ減水剤、ＡＥ減水剤、流動化剤、凝結遅延剤、凝結促進剤、強度促進剤、増粘剤、防錆剤、収縮低減剤、スラグ等の潜在水硬性物質、フライアッシュやシリカフューム等のポゾラン物質、セッコウなどの無機硫酸塩、膨脹材、炭酸カルシウム、消石灰等のカルシウム化合物、各種繊維等、一般にセメント・モルタル・コンクリートで使用することができる混和剤・材を、本発明の目的を実質的に阻害しない範囲で適宜配合することができる。さらに、本方法では、砂のみを封入した容器ｂ1 を使用することもでき、この砂を封入した容器ｂ1 を使用する場合は、下穴Ｈにはセメント又はセメントモルタルの挿入された容器ｂ1 も投入される。この砂の容器ｂ1 の場合も必要に応じて水が含浸させられる。